(57)【要約】  【課題】  繊細な糸からなる布地、この布地からなる布製品に対して、致命的な傷付きが生じないように、長年使い込んだ質感を表現する。  【解決手段】  布地または布製品に柿渋染め加工を施す工程、柿渋染め加工された布地または布製品を、硬質部材共々洗いにかけて布地または布製品にあたりを付ける工程を含む。  【選択図】  なし【特許請求の範囲】
【請求項１】
布地または布製品に柿渋染め加工を施す工程、
柿渋染め加工された布地または布製品を、硬質部材共々洗いにかけて布地または布製品にあたりを付ける工程、
を含む布地または布製品の染色加工方法。
【請求項２】
糸に柿渋染め加工を施す工程、
柿渋染め加工された糸で布地を製造する工程、
この布地を硬質部材共々洗いにかけて布地にあたりを付ける工程、
を含む布地の染色加工方法。
【請求項３】
糸に柿渋染め加工を施す工程、
柿渋染め加工された糸で布地を製造する工程、
この布地から布製品を製造する工程、
この布製品を硬質部材共々洗いにかけて布製品にあたりを付ける工程、
を含む布製品の染色加工方法。
【請求項４】
硬質部材が、少なくとも布地または布製品を傷付けない形状のものである請求項１ないし請求項３いずれか１項に記載の染色加工方法。
【発明の詳細な説明】
【技術分野】
【０００１】
本発明は、織物、編物、組物等の布地または布製品の染色加工方法に関し、特に、長年使い込んだ質感を表現するのに好適な染色加工方法に関する。
【背景技術】
【０００２】
長年使い込んだ質感を表現する布製品に染色加工方法の先行技術文献情報としては、たとえば、以下に例示するものがある。
【特許文献１】特開平８−２４６２１０号（〔０００６〕〜〔０００９〕参照）
【発明の開示】
【発明が解決しようとする課題】
【０００３】
これらの先行技術文献に開示されている染色加工方法に想定されている布製品が剣道着であるとの記載があり、この剣道着を使い古した風合いにするために、染色した布地を縫製した後、ウォッシング加工時に軽石で剣道着を擦ることによって、細かい傷の発生と染色の脱色を行うことが記載されている。
ところで、先行技術文献に記載の剣道着は、極めて丈夫な布地を用いて縫製されたものであって、軽石で染色された剣道着を擦ったとしても、破れたり切れたりすることはない。
しかしながら、軽石という極めて凹凸の多い形状のもので擦るため、例えば絹織物のような繊細な糸からなる布地やこの布地からなる布製品を使い古した風合いにするために、剣道着と同様の軽石を用いた加工方法を採用した場合には、破れたり切れたりする可能性が極めて高いものであると推測される。
したがって、繊細な糸からなる布地やこの布地からなる布製品に前記染色加工方法を用いることができない。
【０００４】
そこで、本発明は、繊細な糸からなる布地、この布地からなる布製品に対して、致命的な傷付きが生じないように、長年使い込んだ質感を表現することを課題とし、この課題を解決した布地または布製品の染色加工方法の提供を目的とする。
【課題を解決するための手段】
【０００５】
前記目的を達成するために本発明は、下記の技術的手段を採用した。
その技術的手段は、布地または布製品に柿渋染め加工を施す工程、柿渋染め加工された布地または布製品を、硬質部材共々洗いにかけて、布地または布製品にあたりを付ける工程をを含む布地、布製品の染色加工方法である（請求項１）。
また、糸に柿渋染め加工を施す工程、柿渋染め加工された糸で布地を製造する工程、この布地を硬質部材共々洗いにかけて布地にあたりを付ける工程を含む布地の染色加工方法である（請求項２）。
また、糸に柿渋染め加工を施す工程、柿渋染め加工された糸で布地を製造する工程、この布地から布製品を製造する工程、この布製品を硬質部材共々洗いにかけて布製品にあたりを付ける工程を含む布製品の染色加工方法である（請求項３）。
また、硬質部材が、少なくとも布地、布製品を傷付けない形状のものである（請求項４）。
【発明の効果】
【０００６】
請求項１の発明によれば、布地または布製品は、柿渋染めによって強度が増し、この強度が増した状態で硬質部材共々洗いをかけることによって、繊細な糸からなる布地、さらにはこの布地からなる布製品においても致命的な傷付きを生じさせること無く、これらにあたりを付けて長年使い込んだ質感を表現することができる。
また、請求項２および請求項３の発明によれば、柿渋染めによって糸の強度が増し、この糸で布地を製造し、さらにこの布地で布製品を製造すれば、強度が増した布地または布製品となり、この強度が増した状態で布地または布製品を硬質部材共々洗いをかけることによって、請求項１と同様に致命的な傷付きを生じさせること無く、これらにあたりを付けて長年使い込んだ質感を表現することができる。
さらに、柿渋染めした糸で製造した布地やこの布地で清掃した布製品に請求項１と同様の方法であたりを付けることによって、柿渋染めした布地または布製品に表された風合いとは異なった独特の風合いが期待できる。
請求項４の発明によれば、硬質部材が少なくとも布地、布製品を傷付けない形状のものであるので、繊細な糸からなる布地、さらにはこの布地からなる布製品に対する致命的な傷付き防止の確実性を向上することができる。
【発明を実施するための最良の形態】
【０００７】
本発明でいう柿渋染めは、柿の渋を用いて染色することであり、具体的には糸、布地、布製品を柿渋で染め、さらに、鉄の水溶液に通すことによって、糸、布地、布製品の色合いに深みが出るとともに、硬くなって強度が増す。
この性質を利用することによって、硬質部材共々洗いにかけても致命的な傷付きが防止される。
また、本発明でいうあたりとは、布地または布製品の表面に擦れた跡を意図的に付けることをであり、本発明のように染色されたものの場合には、部分的に色が落ちて長年使い込んだ質感が生じる。
また、本発明でいう硬質部材とは、布地または布製品にあたりを付けることができる部材のすべてを包含し、たとえば、木材（たとえば、北山杉）、ゴルフボール、丸石等、ある程度重量が有るものが好適である。
さらに、請求項４の発明でいう、少なくとも布地、布製品を傷付けない形状とは、表面に鋭利な凹凸が無く角が落とされて丸くしたものが好適である。
洗いに関しては、たとえば、現在周知の回転ドラム式のものが使用でき、この回転ドラムに、布地または布製品を硬質部材および洗剤共々入れて回転させてあたりを付ける。
洗剤の量は通常の洗濯時と同量であり、あたりや色落ちの好みに合わせて任意の時間（２時間〜６時間程度が適当である。）さらに回転させ、最後に十分に水洗いをし、乾燥させて布地または布製品が完成する。
あたりの付き具合や色落ちの程度の調整は、回転ドラムの回転時間や洗剤の量によって調整することができる。
たとえば、単に色落ちの程度を多くして薄色に仕上げる場合には洗剤の量を増量すればよいが、あたりの付き具合は、回転ドラムの回転時間に比例するので、あたりを多く付けて色を薄く仕上げたい場合にはたい場合には、洗剤の量を増量せず、回転ドラムの回転時間を増やせばよく、あたりを少なく色を薄く仕上げたい場合には、洗剤の量を増量し、回転ドラムの回転時間を減らせばよい。
【実施例】
【０００８】
以下、本発明の第１実施例を説明する。
本実施例では、絹糸で織った織物地を用いた織物製品を染色する染色加工方法を例示する。
【０００９】
本実施例の染色加工方法は下記のとおりである。
第１工程：織物製品を柿渋染めする。
第２工程：柿渋染めした織物製品を鉄の水溶液に通す。
この第１工程および第２工程において、織物製品が硬く丈夫になって強度が増す。
第３工程：前記により強度が増した織物製品と、硬質部材である木材と、洗剤を回転ドラムに投入し、洗いにかけてあたりを付けながら色を落とす。
第４工程：あたりが付き色落ちした織物製品を水洗いする。
第５工程：水洗いした織物製品を乾燥させる。
この工程によって、致命的な傷付きを生じさせること無く、これらにあたりを付けて長年使い込んだ質感を表現することができる。
なお、織物地の染色加工方法も前記と同様である。  
【００１０】
次に、本発明の第２実施例を説明する。
本実施例では、絹糸を染色し、この絹糸で織った織物地にあたりを付ける染色加工方法を例示する。
【００１１】
本実施例の染色加工方法は下記のとおりである。
第１工程：絹糸を柿渋染めする。
第２工程：柿渋染めした絹糸を鉄の水溶液に通す。
この第１工程および第２工程において、絹糸が硬く丈夫になって強度が増す。
第３工程：前記により強度が増した絹糸で織物地を織る。
この第３工程で織られた織物地は、当然ながら強度が増す。
第４工程：織物地と、硬質部材である木材と、洗剤を回転ドラムに投入し、洗いにかけてあたりを付けながら色を落とす。
第５工程：あたりが付き色落ちした織物地を水洗いする。
第６工程：水洗いした織物地を乾燥させる。
この工程によって、致命的な傷付きを生じさせること無く、これらにあたりを付けて長年使い込んだ質感を表現することができ、また、第１実施例の方法で付けられたあたりとは、風合いが異なるあたりが付く。
なお、織物地の染色加工方法も前記と同様である。